(57)【特許請求の範囲】
【請求項１】
支柱と、この支柱に対して一端を中心として垂直面内で回動自在に配されたアーム手段と、アーム手段の他端に取り付けられた扉と、この扉及びアーム手段の自重に抗して扉の跳ね上げ方向に弾性力をアーム手段に付与する弾性力付与手段と、アーム手段の回動に抗する粘性剪断抵抗力をアーム手段に付与する粘性剪断抵抗力付与手段とを具備しており、粘性剪断抵抗力付与手段は、アーム手段の回動と共に回転するようにアーム手段の一端に固着された一方の隙間形成体と、この一方の隙間形成体との間で隙間を形成すると共に、当該一方の隙間形成体に対して相対的に回転自在に配されて、支柱に支持された他方の隙間形成体と、隙間に充填された粘性体とを具備しており、弾性力付与手段は、一方の隙間形成体に固着されたカム板と、カム板に一端が連結されていると共に中間がカム板のカム縁に当接して曲げ案内されるチェーンと、一端でチェーンの他端に連結されていると共に他端で支柱に連結されたコイルばね手段とを具備しており、カム縁は、チェーンの一端側に配されていると共にアーム手段の回動中心を中心とした円弧縁と、チェーンの他端側に配されていると共に円弧縁に連続した直線縁とを具備しており、隙間形成体の相対回転中心とアーム手段の回動中心とが同心上に配されている跳ね上げ式門扉。
【請求項２】
コイルばね手段は、同心に配された一対のコイルばねを具備しており、この一対のコイルばねは、互いにその弾性係数が異なっている請求項１に記載の跳ね上げ式門扉。
【請求項３】
他方の隙間形成体は、一方向クラッチを介して支柱に支持されている請求項１又は２に記載の跳ね上げ式門扉。
【請求項４】
一方向クラッチは、アーム手段の一方の方向の回動において、他方の隙間形成体の支柱に対する回転を阻止し、アーム手段の他方の方向の回動において、他方の隙間形成体の支柱に対する回転を許容するようになっている請求項３に記載の跳ね上げ式門扉。
【請求項５】
アーム手段の一方の方向の回動が閉扉動作における回動である請求項４に記載の跳ね上げ式門扉。
【発明の詳細な説明】
【０００１】
【発明の属する技術分野】
本発明は、車庫等の出入口に用いて好適な跳ね上げ式門扉に関する。
【０００２】
【発明が解決しようとする課題】
この種の門扉としては、特開平７−２７９５６４号公報等に記載のような、支柱と、一端で支柱に回動自在に支持されたアームと、アームの他端に取り付けられた扉と、この扉及びアームの自重に抗して扉の跳ね上げ方向に弾性力をアームに付与するコイルばね及びガススプリングからなる弾性力付与手段とを具備したものが知られている。
【０００３】
ところで、上記公報記載の類いの跳ね上げ式門扉は、コイルばねとガススプリングとによって、アーム及び扉のそれぞれの自重に抗するような弾性的な跳ね上げ力をアームに付与して、手動による開扉を容易にしているが、開扉に際して扉にかける手動力が大きい場合には、弾性的な跳ね上げ力に加えてこの大きな手動力がアームに加わるため、アームが勢いよく回動されることとなり、アームがストッパ等に激突して、不快な騒音を発し、扉の寿命を縮めたりする虞がある。また、手動による閉扉の際にも、同じく大きな手動力を扉にかけると、同様な不都合が生じる虞がある。
【０００４】
そして、跳ね上げ式門扉は温度変化の激しい戸外に通常配されるため、コイルばね又はガススプリングもまた温度変化の激しい環境に晒されることになり、その弾性力の温度依存性により、上記の不都合が季節により極端に生じる虞がある。
【０００５】
本発明は、前記諸点に鑑みてなされたものであって、その目的とするところは、扉にかける手動力が通常より大きい場合においても、アーム手段及び扉に急激な回動を生じさせることなしに、スムーズに扉を開閉することができ、アーム手段の激突による不快音の発生をなくし得、寿命の長い跳ね上げ式門扉を提供することにある。
【０００６】
【課題を解決するための手段】
本発明の跳ね上げ式門扉は、支柱と、この支柱に対して一端を中心として垂直面内で回動自在に配されたアーム手段と、アーム手段の他端に取り付けられた扉と、この扉及びアーム手段の自重に抗して扉の跳ね上げ方向に弾性力をアーム手段に付与する弾性力付与手段と、アーム手段の回動に抗する粘性剪断抵抗力をアーム手段に付与する粘性剪断抵抗力付与手段とを具備しており、粘性剪断抵抗力付与手段は、アーム手段の回動と共に回転するようにアーム手段の一端に固着された一方の隙間形成体と、この一方の隙間形成体との間で隙間を形成すると共に、当該一方の隙間形成体に対して相対的に回転自在に配されて、支柱に支持された他方の隙間形成体と、隙間に充填された粘性体とを具備しており、弾性力付与手段は、一方の隙間形成体に固着されたカム板と、カム板に一端が連結されていると共に中間がカム板のカム縁に当接して曲げ案内されるチェーンと、一端でチェーンの他端に連結されていると共に他端で支柱に連結されたコイルばね手段とを具備しており、カム縁は、チェーンの一端側に配されていると共にアーム手段の回動中心を中心とした円弧縁と、チェーンの他端側に配されていると共に円弧縁に連続した直線縁とを具備しており、隙間形成体の相対回転中心とアーム手段の回動中心とが同心上に配されている。
【０００７】
本発明では、弾性力付与手段は、好ましい例では、コイルばね手段及びガススプリングのうちの少なくとも一方を具備している。弾性力付与手段にコイルばね手段を用いる場合には、当該コイルばね手段を同心に配された一対のコイルばねから構成して、この一対のコイルばねの弾性係数を互いに異ならせると、大部分の跳ね上げ力を一方のコイルばねに担当させ、他方のコイルばねを微調整用として用いることができ、好ましい。
【０００８】
本発明では、他方の隙間形成体は、支柱に対して回転しないように、当該支柱に固着して支持されていてもよいが、これに代えて、一方向クラッチを介して支柱に支持されていてもよい。この一方向クラッチは、アーム手段の一方の方向の回動において、他方の隙間形成体の支柱に対する回転を阻止し、アーム手段の他方の方向の回動において、他方の隙間形成体の支柱に対する回転を許容するようになっている。ここで、好ましい例では、アーム手段の一方の方向の回動が閉扉動作における回動である。
【０００９】
【発明の実施の形態】
次に本発明の実施の形態を、図に示す好ましい実施例に基づいて更に詳細に説明する。なお、本発明はこれら実施例に何等限定されないのである。
【００１０】
【実施例】
図１から図４において、本例の跳ね上げ式門扉１は、立設された一対の支柱２及び３と、一端４及び５で支柱２及び３のそれぞれに垂直面内で回動自在、すなわちＲ１及びＲ２方向に回動自在に支持された一対のアーム手段６及び７と、アーム手段６及び７のそれぞれの他端８及び９に取り付けられた扉１０と、扉１０及びアーム手段６及び７の自重に抗して扉１０の跳ね上げ方向に弾性力をアーム手段６及び７のそれぞれに付与する弾性力付与手段１１及び１２と、開閉扉によるアーム手段６及び７の回動において当該回動に抗する粘性剪断抵抗力を、アーム手段６及び７のそれぞれに付与する粘性剪断抵抗力付与手段１３及び１４と、アーム手段６及び７のＲ１方向の一定量以上の回動を阻止する回動阻止手段１５と、一方向クラッチ１６とを具備している。
【００１１】
本例では、支柱２側に、弾性力付与手段１１と粘性剪断抵抗力付与手段１３とが、支柱３側に、弾性力付与手段１２と粘性剪断抵抗力付与手段１４とがそれぞれ設けられているが、支柱２及び３側のうちいずれか一方にのみに弾性力付与手段と粘性剪断抵抗力付与手段とを設けて構成してもよく、また、支柱２側には、弾性力付与手段と粘性剪断抵抗力付与手段とのうちいずれか一方を、支柱３側には、弾性力付与手段と粘性剪断抵抗力付与手段とのうちいずれか他方をそれぞれ設けて構成してもよい。以下、支柱２側について説明し、支柱３側は、同様に構成されているので説明を省略する。
【００１２】
支柱２は本例では中空体からなり、この中空体の中に、弾性力付与手段１１、粘性剪断抵抗力付与手段１３が収容されている。支柱２の下部にはブラケット１７が取り付けられている。
【００１３】
アーム手段６は、断面矩形状のアーム部材２１を具備しており、アーム部材２１の一端２２（アーム手段６の一端４でもある）には孔２３が形成されている。本例では、アーム手段６は、一本のみのアーム部材２１を具備して構成されているが、これに代えて、特開平７−２７９５６４号公報に記載のような複数本のアーム部材を具備して構成されてもよい。なお、扉１０とアーム部材２１との間には、補強部材２４が取り付けられている。
【００１４】
扉１０は、目隠し用の多数の横格子２５が取り付けられたものであるが、これに限定されず、縦格子を取り付けたもの等その他のものであってもよい。
【００１５】
弾性力付与手段１１は、カム板３１と、カム板３１にピン３２を介して一端３３が連結され、中間３４がカム板３１のカム縁３５に当接して曲げ案内され、他端３６にピン３７を介して回動自在に連結された連結具３８を有したチェーン３９と、それぞれの一端４１及び４２が連結具３８の孔４３に引っかけられ、それぞれの他端４４及び４５が、連結具４６の孔４７に引っかけられた一対のコイルばね４８及び４９とを具備している。カム縁３５は、チェーン３９の一端３３側に配されていると共にアーム部材２１の回動中心５１を中心とした円弧縁５２と、チェーン３３の他端３６側に配されていると共に円弧縁５２に連続した直線縁５３とを具備している。小径のコイルばね４８は、大径のコイルばね４９と同心に且つ内部に配されて、当該コイルばね４９に対してその弾性係数が異なるもの、本例では小さいものからなっている。
【００１６】
連結具４６は、ねじ部６１を有しており、ねじ部６１にばね力調整用のナット６２が螺合されて、ブラケット１７に取り付けられており、ナット６２のねじ部６１への螺合量を変えることにより、コイルばね４８及び４９によって生起される弾性力を調整することができる。また、本例では、弾性力付与手段１１が一対のコイルばね４８及び４９を具備しているため、大部分の跳ね上げ力を一方のコイルばね４９に担当させ、他方のコイルばね４８を微調整用として用いることができる。コイルばね４８及び４９は、それぞれの弾性力によって、図２においてＲ１方向にカム板３１を回転させるようになっている。
【００１７】
粘性剪断抵抗力付与手段１３は、アーム手段６の回動によりＲ１及びＲ２の方向に回転されるようにアーム手段６の一端に固着された一方の隙間形成体６５と、隙間形成体６５との間で隙間６６を形成すると共に、隙間形成体６５に対して相対的にＲ１及びＲ２の方向に回転自在に配されて、支柱２に支持された他方の隙間形成体６７と、隙間６６に充填された粘性体６８とを具備しており、隙間形成体６５及び６７の相対回転中心５１とアーム手段６の回動中心５１とが同心上に配されている。
【００１８】
隙間形成体６５は、環状のフランジ部７１及び円筒部７２を一体的に有した一方の半割ハウジング７３と、環状のフランジ部７４、円筒部７５及び軸部７６を一体的に有した他方の半割ハウジング７７とを具備しており、半割ハウジング７３と７７とは、フランジ部７１と７４とで突き合わされて、フランジ部７１と７４とにおいてリベットなどにより互いに固着されており、隙間形成体６５は、円筒部７５においてブッシュ７８を介して支柱２にＲ１及びＲ２の方向に回転自在に支持されており、軸部７６がアーム部材２１の孔２３に嵌合されて、これによりアーム手段６は、一端４で支柱２にＲ１及びＲ２方向に回転自在に支持されている。隙間形成体６５のフランジ部７４には、カム板３１がボルトなどにより固着されている。
【００１９】
隙間形成体６７は、円柱状の本体８１と、本体８１の両端面に一体的に形成された軸部８２及び８３とを具備しており、一方の軸部８２において軸受８４を介して円筒部７５にＲ１及びＲ２の方向に回転自在に支持されており、他方の軸部８３において一方向クラッチ１６を介して支柱２に支持されている。
【００２０】
粘性体６８が充填された隙間６６は、円筒部７２及び円筒部７５の夫々の内周面と本体８１の外周面との間に形成されている。半割ハウジング７３と７７との間及び隙間形成体６５と６７との間の夫々には、粘性体６８の漏出を阻止するシール８７が嵌装されている。
【００２１】
粘性剪断抵抗力付与手段１３は、隙間形成体６７に対する隙間形成体６５のＲ１又はＲ２方向の回転により、粘性体６８に粘性剪断抵抗力を発生させて、この発生した粘性剪断抵抗力に基づいて、アーム手段６に粘性剪断抵抗力を付与する。
【００２２】
回動阻止手段１５は、カム板３１に一体形成された突片８５と、アーム手段６のＲ１方向の一定以上の回動において、突片８５が当接するように、支柱２に固着されたストッパ突起８６とを具備している。回動阻止手段１５は、図５に示すように、突片８５のストッパ突起８６への当接により、アーム手段６がＲ１方向にそれ以上回動しないようにする。
【００２３】
一方向クラッチ１６は、アーム手段６の一方の方向、本例では閉扉動作におけるＲ２方向の回動において、隙間形成体６７の支柱２に対するＲ２方向の回転を阻止し、アーム手段６の他方の方向、本例では開扉動作におけるＲ１方向の回動において、隙間形成体６７の支柱２に対するＲ１方向の回転を許容するようになっている。一方向クラッチ１６により、閉扉動作においてアーム手段６がＲ２方向に回動する際、隙間形成体６７に対して隙間形成体６５が相対的にＲ２方向に回転される結果、粘性体６８が剪断されて、アーム手段６に粘性剪断抵抗力が付与される一方、開扉動作においてアーム手段６がＲ１方向に回動する際、隙間形成体６７も隙間形成体６５と共にＲ１方向に回転される結果、粘性体６８の剪断が生じなくなり、アーム手段６に粘性剪断抵抗力が付与されなくなる。
【００２４】
以上のように形成された跳ね上げ式門扉１では、手動により扉１０が持ち上げられると、アーム部材２１が上方にＲ１方向に回動され、これと共にカム板３１も同様にＲ１方向に回転される。この回転において、コイルばね４８及び４９の弾性引っ張り力により扉１０等の自重が適宜打ち消されると共に、粘性剪断抵抗力付与手段１３による粘性剪断抵抗力が生じない結果、手動開扉が困難なく行えるようになっている。一方、閉扉の場合は、手動による扉１０への少しの下降力の付加により、コイルばね４８及び４９の引っ張り力の作用で、容易に閉扉することができる。
【００２５】
更に、跳ね上げ式門扉１では、閉扉において隙間形成体６７に対する隙間形成体６５のＲ２方向の相対回転が生じ、これにより粘性体６８の粘性剪断に基づく粘性剪断抵抗力がアーム部材２１に付与されることになり、アーム手段６及び扉１０の自重とコイルばね４８及び４９の弾性引っ張り力との微妙なバランスが崩れても、それにそれほど影響されることなく、スムーズな閉扉を得ることができる。また、扉１０に加える引き下げ力が比較的大きく、アーム部材２１が急激にＲ２方向に回動されようとした場合、隙間形成体６７に対する隙間形成体６５のＲ２方向の相対回転がより速くなろうとする結果、粘性体６８により生じる粘性剪断抵抗力が大きくなり、この大きな粘性剪断抵抗力をアーム部材２１に付与するため、実質的にアーム部材２１には、回動速度に比例した制動力が働き、扉１０が急激に回動して地面に激突し、不快な騒音を発するような事態を避けることができる。
【００２６】
上記の例では、弾性力付与手段１１をコイルばね４８及び４９により具体化したが、これと共に又はこれに代えて、ガススプリング１０１により弾性力付与手段１１を具体化してもよく、この場合、ガススプリング１０１は、ピン１０２を介してそのピストンロッド１０３の一端１０４をカム板３１に回動自在に連結し、そのシリンダ１０５の下端１０６を支柱２に取り付けられたブラケット１０７にピン１０８を介して回動自在に連結して配する。ガススプリング１０１は、その空気弾性力によって、図２においてＲ１方向にカム板３１を回転させるようになっている。
【００２７】
更に、粘性剪断抵抗力付与手段１３を図６に示すように構成してもよい。図６に示す粘性剪断抵抗力付与手段１３は、隙間形成体６５に対応する隙間形成体１１１と、隙間形成体６７に対応する隙間形成体１１２と、隙間６６に対応する隙間１１３に充填された粘性体６８とを具備している。隙間形成体１１１は、フランジ部７１及び７４に対応するフランジ部１１４と、円筒部７２及び７５に対応する円筒部１１５と、軸部７６に対応する軸部１１６とを一体的に具備しており、円筒部１１５の内周面には、複数の環状の凹所１１７が形成されており、隙間形成体１１２は、本体８１に対応する本体１２１と、本体１２１の両端面に一体的に形成された軸部８２及び８３に対応する軸部１２２及び１２３とを具備しており、本体１２１の外周面には、隙間１１３を形成するように凹所１１７の夫々に配された複数の環状の突起１２４が一体的に形成されている。図６に示す粘性剪断抵抗力付与手段１３によれば、より効果的に粘性剪断抵抗力を発生することができ、より小型の粘性剪断抵抗力付与手段１３を得ることができる。
【００２８】
【発明の効果】
以上のように本発明によれば、扉にかける手動力が通常より大きい場合においても、アーム手段及び扉に急激な回動を生じさせることなしに、スムーズに扉を開閉することができ、アーム手段の激突による不快音の発生をなくし得、寿命を長くすることができる。
【図面の簡単な説明】
【図１】本発明の好ましい一実施例の斜視図である。
【図２】図１に示す実施例の支柱上部の側面説明図である。
【図３】図１に示す実施例の支柱上部の正面説明図である
【図４】図１に示す実施例の支柱下部の側面説明図である。。
【図５】図１に示す実施例の動作説明図である。
【図６】図１に示す実施例に適用し得る他の粘性剪断抵抗力付与手段の正面説明図である。
【符号の説明】
１  跳ね上げ式門扉
２  支柱
６  アーム手段
１０  扉
１１  弾性力付与手段
１３  粘性剪断抵抗力付与手段
６５、６７  隙間形成体
６８  粘性体
【図１】
0003777787.tif 000002
【図２】
0003777787.tif 000003
【図３】
0003777787.tif 000004
【図４】
0003777787.tif 000005
【図５】
0003777787.tif 000006
【図６】
0003777787.tif 000007